(57)【要約】【課題】顧客からの預かり金にリジェクト貨幣が含まれていてもレジスタにおける売上金額を変更することなく精算処理を行うことができ、かつ装置コストを抑えた精算システムを提供する。【解決手段】精算システム２は、顧客からの預かり金の少なくとも一部に対応する情報の手入力を受けつける受付部と、購入商品の合計金額、及び前記受付部を介して手入力された手入力情報を現金精算装置１１へ送信する送信部と、を有するレジスタ４０と、投入された貨幣を識別及び計数して投入金額を算出し、前記投入金額とレジスタ４０から受信した前記手入力情報とを用いて顧客からの預かり金の総額を算出し、前記総額及びレジスタ４０から受信した前記合計金額に基づいて釣銭額を算出し、釣銭貨幣を出金する現金精算装置１１とを備えている。【選択図】図１
2012203446.tif 000002
【特許請求の範囲】
【請求項１】
貨幣の入金処理及び出金処理を行う現金精算装置と、
購入商品の登録及び合計金額の算出を行うレジスタと、
を備える精算システムであって、
前記レジスタは、
顧客からの預かり金の少なくとも一部に対応する情報の手入力を受けつける受付部と、
前記購入商品の合計金額と、前記受付部を介して手入力された手入力情報とを前記現金精算装置へ送信する送信部と、
を有し、
前記現金精算装置は、投入された貨幣を識別及び計数して投入金額を算出し、前記投入金額と前記レジスタから受信した前記手入力情報とを用いて顧客からの預かり金の総額を算出し、前記総額及び前記レジスタから受信した前記合計金額に基づいて釣銭額を算出し、釣銭貨幣を出金することを特徴とする精算システム。
【請求項２】
前記現金精算装置は、前記投入金額を前記レジスタに通知し、
前記レジスタは、前記合計金額から前記投入金額を減じた金額のカード決済処理を行う決済処理部を有することを特徴とする請求項１に記載の精算システム。
【請求項３】
前記手入力情報は、前記現金精算装置に受け付けられなかったリジェクト貨幣の金種情報を含むことを特徴とする請求項１又は２に記載の精算システム。
【請求項４】
前記現金精算装置は、前記投入金額と、前記手入力情報とを区別して外部出力することを特徴とする請求項１乃至３のいずれかに記載の精算システム。
【請求項５】
前記現金精算装置は、投入された貨幣を識別する第１モードと、投入された貨幣を識別せずに受け付ける第２モードとを切り替えて設定できることを特徴とする請求項１乃至４のいずれかに記載の精算システム。
【請求項６】
前記現金精算装置は、
前記第１モードの設定時に識別された貨幣を収納する第１収納部と、
前記第２モードの設定時に投入された貨幣を収納する第２収納部と、
を有することを特徴とする請求項５に記載の精算システム。
【請求項７】
現金精算装置及びレジスタを用いる精算方法であって、
前記レジスタが、購入商品の合計金額を算出し、前記合計金額を前記現金精算装置へ送信する工程と、
前記現金精算装置が、投入された貨幣を識別及び計数して投入金額を算出する工程と、
前記レジスタが、顧客からの預かり金の少なくとも一部に対応する情報の手入力を受けつけ、手入力情報を前記現金精算装置へ送信する工程と、
前記現金精算装置が、前記投入金額と前記レジスタから受信した前記手入力情報とを用いて顧客からの預かり金の総額を算出し、前記総額及び前記レジスタから受信した前記合計金額に基づいて釣銭額を算出し、釣銭貨幣を出金する工程と、
を備える精算方法。
【請求項８】
貨幣の入金処理及び出金処理を行う現金精算装置であって、
購入商品の合計金額の算出及び顧客からの預かり金の少なくとも一部に対応する情報の手入力の受け付けを行うレジスタから、前記合計金額と、手入力された手入力情報とを受信する受信部と、
投入された貨幣を識別及び計数して投入金額を算出し、前記投入金額及び前記レジスタから受信した前記手入力情報を用いて顧客からの預かり金の総額を算出し、前記総額及び前記レジスタから受信した前記合計金額に基づいて釣銭額を算出する算出部と、
前記釣銭額に基づいて釣銭貨幣を出金する出金部と、
を備える現金精算装置。
【発明の詳細な説明】
【技術分野】
【０００１】
本発明は、手入力された入金額をレジスタから受け取り、釣銭額を算出して釣銭貨幣を出金する現金精算装置を備えた精算システム、この精算システムを用いた精算方法、及び現金精算装置に関する。
【背景技術】
【０００２】
スーパーマーケットやコンビニエンスストア等の店舗には、紙幣及び硬貨の入金処理及び出金処理を行う現金精算装置と、顧客の購入商品の登録を行って売上金額を算出するＰＯＳ（Point Of Sale）レジスタとを備えた精算システムが設けられている。
【０００３】
このような精算システムを用いた精算処理の一例としては、まず、ＰＯＳレジスタが売上金額を算出し、現金精算装置に通知する。現金精算装置は、顧客からの預かり金が投入されると、識別及び計数を行う。そして、現金精算装置は、顧客からの預かり金の総額から、ＰＯＳレジスタから通知された売上金額を減じて釣銭額を算出し、釣銭を出金していた。
【０００４】
顧客からの預かり金の貨幣に現金精算装置が受け付けないリジェクト貨幣が含まれていた場合、ＰＯＳレジスタを操作して、当初算出していた売上金額から、リジェクト貨幣の分の金額を差し引いて売上金額を変更し、変更後の売上金額を現金精算装置に通知していた。しかし、売上金額を変更するため、上位機で管理している売上金額と、現金精算装置に収納されている貨幣の金額とが一致しなくなるという問題があった。
【０００５】
特許文献１には、現金精算装置（釣銭機）と、現金精算装置に受け付けられなかった貨幣の金額が手入力される手入力受付手段を有するＰＯＳレジスタと、を備えたシステムが開示されている。このシステムを用いた精算処理では、現金精算装置が、投入金額をＰＯＳレジスタに通知する。ＰＯＳレジスタは、手入力受付手段を介して手入力された手入力金額と、現金精算装置から通知された投入金額とを加算して顧客からの預かり金の総額を算出し、預かり金の総額から売上金額を減じて釣銭額を算出し、現金精算装置に釣銭の出金を指示していた。
【０００６】
このように、特許文献１のシステムでは、顧客からの預かり金の貨幣に現金精算装置が受け付けないリジェクト貨幣が含まれていても、ＰＯＳレジスタにおいて売上金額を変更する必要がなかった。しかし、このような精算処理を行うためには、現金精算装置から通知される投入金額の受信、顧客からの預かり金の総額や釣銭額の算出、現金精算装置への釣銭出金指示などの多くの機能を有するＰＯＳレジスタを設ける必要がある。そのため、コストが高く、店舗への導入が困難であるという問題があった。
【先行技術文献】
【特許文献】
【０００７】
【特許文献１】特許第４１９４４２３号
【発明の概要】
【発明が解決しようとする課題】
【０００８】
本発明は、顧客からの預かり金にリジェクト貨幣が含まれていてもレジスタにおける売上金額を変更することなく精算処理を行うことができ、かつ装置コストを抑えた精算システムを提供することを目的とする。
【課題を解決するための手段】
【０００９】
本発明の一態様による精算システムは、貨幣の入金処理及び出金処理を行う現金精算装置と、購入商品の登録及び合計金額の算出を行うレジスタと、を備える精算システムであって、前記レジスタは、顧客からの預かり金の少なくとも一部に対応する情報の手入力を受けつける受付部と、前記購入商品の合計金額と、前記受付部を介して手入力された手入力情報とを前記現金精算装置へ送信する送信部と、を有し、前記現金精算装置は、投入された貨幣を識別及び計数して投入金額を算出し、前記投入金額と前記レジスタから受信した前記手入力情報とを用いて顧客からの預かり金の総額を算出し、前記総額及び前記レジスタから受信した前記合計金額に基づいて釣銭額を算出し、釣銭貨幣を出金するものである。
【００１０】
本発明の一態様による精算システムにおいては、前記現金精算装置は、前記投入金額を前記レジスタに通知し、前記レジスタは、前記合計金額から前記投入金額を減じた金額のカード決済処理を行う決済処理部を有することが好ましい。
【００１１】
本発明の一態様による精算システムにおいては、前記手入力情報は、前記現金精算装置に受け付けられなかったリジェクト貨幣の金種情報を含むことが好ましい。
【００１２】
本発明の一態様による精算システムにおいては、前記現金精算装置は、前記投入金額と、前記手入力情報とを区別して外部出力することが好ましい。
【００１３】
本発明の一態様による精算システムにおいては、前記現金精算装置は、投入された貨幣を識別する第１モードと、投入された貨幣を識別せずに受け付ける第２モードとを切り替えて設定できることが好ましい。
【００１４】
本発明の一態様による精算システムにおいては、前記現金精算装置は、前記第１モードの設定時に識別された貨幣を収納する第１収納部と、前記第２モードの設定時に投入された貨幣を収納する第２収納部と、を有することが好ましい。
【００１５】
本発明の一態様による精算方法は、現金精算装置及びレジスタを用いる精算方法であって、前記レジスタが、購入商品の合計金額を算出し、前記合計金額を前記現金精算装置へ送信する工程と、前記現金精算装置が、投入された貨幣を識別及び計数して投入金額を算出する工程と、前記レジスタが、顧客からの預かり金の少なくとも一部に対応する情報の手入力を受けつけ、手入力情報を前記現金精算装置へ送信する工程と、前記現金精算装置が、前記投入金額と前記レジスタから受信した前記手入力情報とを用いて顧客からの預かり金の総額を算出し、前記総額及び前記レジスタから受信した前記合計金額に基づいて釣銭額を算出し、釣銭貨幣を出金する工程と、を備えるものである。
【００１６】
本発明の一態様による現金精算装置は、貨幣の入金処理及び出金処理を行う現金精算装置であって、購入商品の合計金額の算出及び顧客からの預かり金の少なくとも一部に対応する情報の手入力の受け付けを行うレジスタから、前記合計金額と、手入力された手入力情報とを受信する受信部と、投入された貨幣を識別及び計数して投入金額を算出し、前記投入金額及び前記レジスタから受信した前記手入力情報を用いて顧客からの預かり金の総額を算出し、前記総額及び前記レジスタから受信した前記合計金額に基づいて釣銭額を算出する算出部と、前記釣銭額に基づいて釣銭貨幣を出金する出金部と、を備えるものである。
【発明の効果】
【００１７】
本発明によれば、顧客からの預かり金にリジェクト貨幣が含まれていてもレジスタにおける売上金額を変更することなく精算処理を行うことができ、かつ装置コストを抑えることができる。
【図面の簡単な説明】
【００１８】
【図１】本発明の実施形態に係る現金管理システムのブロック図である。
【図２】同実施形態に係る現金精算装置の外観図である。
【図３】同実施形態に係る現金精算装置のブロック図である。
【図４】同実施形態に係る紙幣精算装置の断面図である。
【図５】同実施形態に係る硬貨精算装置の断面図である。
【図６】同実施形態に係るレジスタの外観図である。
【図７】同実施形態に係るレジスタのブロック図である。
【図８】同実施形態に係る精算方法を説明するタイミングチャートである。
【図９】同実施形態に係る精算方法を説明するタイミングチャートである。
【図１０】変形例によるレジスタの外観図である。
【発明を実施するための形態】
【００１９】
以下、図面を参照して本発明に係る実施形態を説明する。本実施形態は、本発明を限定するものではない。
【００２０】
図１は、本発明の実施形態に係る精算システム２を備えた現金管理システム１の構成例を示すブロック図である。現金管理システム１は、店員が顧客から受け取った現金、および、店員が顧客へ支払う現金を処理および管理するシステムである。
【００２１】
現金管理システム１は、店舗内のチェックアウトエリアに設けられており、店員が顧客との間でやりとりした現金を入金及び出金するチェックアウトカウンター１０と、チェックアウトカウンター１０の現金および商品を管理するバックオフィス２０と、チェックアウトカウンター１０とバックオフィス２０との間において現金を搬送する現金搬送カセット３０とから構成されている。
【００２２】
チェックアウトカウンター１０には、現金を入金および出金することにより顧客との精算処理を行う現金精算装置１１、及び現金精算装置１１と通信可能に接続され、顧客が購入する商品の登録を行うレジスタ４０を有する精算システム２が設けられている。精算システム２は複数設けられていても良い。
【００２３】
現金精算装置１１は、店員または顧客自らによって操作され、店員と顧客との間の精算処理に用いられる。例えば、現金精算装置１１は、顧客が支払った代金を入金し、あるいは、顧客へ支払う釣銭を出金する。レジスタ４０は、例えば、店員によって操作されるＰＯＳレジスタである。
【００２４】
バックオフィス２０には、現金出納装置２１と、現金管理装置２５と、ＰＯＳ管理装置２６が設けられている。現金出納装置２１は、現金精算装置１１と通信可能に接続されており、例えば、現金精算装置１１へ装填するための釣銭準備金を出金し、あるいは、現金精算装置１１から回収した売上金を入金する。
【００２５】
現金管理装置２５は、ＬＡＮ（Local Area Network）等を介して現金精算装置１１および現金出納装置２１と通信可能に接続されている。現金管理装置２５は、現金精算装置１１および現金出納装置２１に収納されている現金を管理する。例えば、現金管理装置２５は、現金精算装置１１のそれぞれにおいて精算処理された現金、並びに、現金精算装置１１と現金出納装置２１との間で授受された現金を管理する。また、現金管理装置２５は、現金精算装置１１または現金出納装置２１に現金搬送カセット３０が装着されているか否かを監視してもよい。
【００２６】
ＰＯＳ管理装置２６は、ＬＡＮ等を介してチェックアウトカウンター１０に設けられているレジスタ４０と通信可能に接続されており、商品の流れや店舗の売上を管理している。
【００２７】
現金搬送カセット３０は、現金精算装置１１および現金出納装置２１に着脱可能に構成されており、現金精算装置１１または現金出納装置２１に装着されているときには現金精算装置１１または現金出納装置２１との間で現金を授受することができる。一方、現金搬送カセット３０は、現金精算装置１１および現金出納装置２１から離脱しているときには内部の現金を取出せないように収納している。店員は、現金搬送カセット３０を用いて現金精算装置１１と現金出納装置２１との間における現金の搬送を行う。例えば、釣銭準備金の装填時あるいは売上金の回収時には、店員は、現金搬送カセット３０を用いて現金を現金精算装置１１と現金出納装置２１との間で搬送する。店員は、現金の搬送時に現金搬送カセット３０内の現金に触れることができないので、セキュリティ上安全な状態で現金を搬送することができる。
【００２８】
現金搬送カセット３０は、紙幣および硬貨のいずれか一方を搬送するように構成されていてもよく、両方を搬送できるように構成されていてもよい。紙幣用の現金搬送カセット３０は、紙幣を積み重ねて収納するスタック式カセットであってもよく、あるいは、紙幣を一枚ずつ複数のテープ間に挟み込んだ状態で該テープを紙幣とともに巻き取るテープリール式カセットであってもよい。硬貨用の現金搬送カセット３０は、金種混合の状態で硬貨を収納するカセットでよい。
【００２９】
図２〜図５を用いて、現金精算装置１１の構成について説明する。各現金精算装置１１は、硬貨を入金および出金することにより精算処理を行う硬貨精算装置１３と、紙幣を入金および出金することにより精算処理を行う紙幣精算装置１２とを含む。
【００３０】
以下、紙幣精算装置１２の構成要素と硬貨精算装置１３の構成要素とを区別するために、紙幣精算装置１２の構成要素の参照番号に“ａ”を付し、硬貨精算装置１３の構成要素の参照番号に“ｂ”を付す。尚、硬貨精算装置１３および紙幣精算装置１２は、取り扱う対象が硬貨と紙幣とでそれぞれ異なるので具体的構成については相違するものの、図３に示す基本的なブロック構成については同様でよい。
【００３１】
図２は、各現金精算装置１１の一例を示す外観図である。現金精算装置１１は、紙幣精算装置１２および硬貨精算装置１３を備える。紙幣精算装置１２は、筐体１００ａと、入金部１１０ａと、出金部１２０ａとを備えている。入金部１１０ａは、顧客から受け取った紙幣を投入するために設けられている。出金部１２０ａは、釣銭紙幣を投出するために設けられている。筐体１００ａの前カバー１０１ａを開けると、現金搬送カセット３０を装着するためのカセット装着部（図４の１６０ａ参照）が設けられている。
【００３２】
硬貨精算装置１３は、筐体１００ｂと、入金部１１０ｂと、出金部１２０ｂとを備えている。入金部１１０ｂは、顧客から受け取った硬貨を投入するために設けられている。出金部１２０ｂは、釣銭硬貨を投出するために設けられている。筐体１００ｂの前カバー１０１ｂを開けると、現金搬送カセット３０を装着するためのカセット装着部（図５の１６０ｂ参照）が設けられている。
【００３３】
図３は、現金精算装置１１の構成例を示すブロック図である。現金精算装置１１は、入金部１１０および出金部１２０のほか、搬送部１３０と、識別部１４０と、収納部１５０と、カセット装着部１６０と、メモリ１７０と、通信部１８０と、制御部１９０とをさらに備えている。
【００３４】
搬送部１３０は、入金部１１０に投入された現金を収納部１５０へ搬送し、あるいは、出金部１２０から投出する現金を収納部１５０から搬送する。また、搬送部１３０は、現金を収納部１５０へ装填するためにカセット装着部１６０に装着された現金搬送カセット３０内の現金を収納部１５０へ搬送し、あるいは、現金を収納部１５０から回収するために収納部１５０に収納された現金を現金搬送カセット３０へ搬送できるように構成されている。
【００３５】
識別部１４０は、搬送部１３０によって搬送されている現金の金種、真偽、正損、新旧、数量等を検知するように構成されている。例えば、識別部１４０は、イメージセンサまたは磁気センサ等のセンサを備えている。
【００３６】
収納部１５０は、識別部１４０において識別された現金を金種ごとに収納することができるように構成されている。収納部１５０は、紙幣を収納する場合、各紙幣を金種ごとに積み重ねて収納するスタック式収納部でもよく、あるいは、各紙幣を金種ごとに複数のテープ間に挟み込んだ状態で該テープを紙幣とともに巻き取る複数のテープリール式収納部であってもよい。
【００３７】
カセット装着部１６０は、現金搬送カセット３０を着脱可能に構成されている。カセット装着部１６０は、現金搬送カセット３０から現金を入金し、あるいは、現金搬送カセット３０へ現金を出金することができるように構成されている。
【００３８】
メモリ１７０は、現金精算装置１１を制御する各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。メモリ１７０は、収納部１５０および現金搬送カセット３０に収納されている現金の情報（金種、数量等）も記憶している。さらに、メモリ１７０は、識別部１４０で識別された現金の数量を金種ごとに記憶してもよい。
【００３９】
通信部１８０は、現金処理システム１を構成する他の装置（現金出納装置２１、現金管理装置２５、ＰＯＳ管理装置２６）やレジスタ４０と通信可能に接続されている。
【００４０】
制御部１９０は、メモリ１７０内のプログラムを実行して現金精算装置１１の全体を制御するように構成された演算処理装置である。
【００４１】
制御部１９０は、識別部１４０による識別・計数結果に基づいて、入金部１１０に投入された現金の金額（投入金額）を算出する。また、制御部１９０は、通信部１８０を介して、レジスタ４０に手入力された顧客からの預かり金の少なくとも一部に対応する情報（以下、手入力情報という）をレジスタ４０から受信し、この手入力情報及び投入金額に基づいて、顧客からの預かり金の総額を算出する。
【００４２】
さらに、制御部１９０は、通信部１８０を介して、レジスタ４０から顧客の購入商品の合計金額を受信し、顧客からの預かり金の総額から、購入商品の合計金額を減じて、釣銭額を算出する。そして、制御部１９０は、算出した釣銭額の釣銭を出金するように現金精算装置１１の各部を制御する。
【００４３】
また、制御部１９０は、算出した投入金額と、レジスタ４０から受信した手入力情報とを区別して現金管理装置２５へ出力することができる。そのため、現金管理装置２５は、実際に現金精算装置１１内に収納されている現金の金額と、現金精算装置１１内に収納されていないが入金処理された貨幣（例えばリジェクト貨幣）の金額とを区別して管理することができる。
【００４４】
図４は、現金精算装置１１のうち紙幣精算装置１２の内部構成の一例を示す断面図である。紙幣精算装置１２は入金部カバー１１１ａを備えており、店員（又は顧客）は入金時に入金部カバー１１１ａを開けて紙幣を入金部１１０ａへ投入する。入金部１１０ａは投入された紙幣を一枚ずつ搬送部１３０ａへ繰り出すように構成されている。搬送部１３０ａは、繰り出された紙幣を識別部１４０ａに通過させた後、収納部１５０ａ、現金搬送カセット３０または出金部１２０ａへ搬送するように構成されている。識別部１４０ａは、搬送されている紙幣の金種、真偽、正損、新旧、数量等を識別する。搬送部１３０ａは、識別部１４０ａによる識別結果に基づいて紙幣を金種ごとに収納部１５０ａに収納する。
【００４５】
尚、搬送部１３０ａは、収納部１５０ａがフルの場合等、必要に応じて、現金搬送カセット３０に紙幣を搬送してよい。また、搬送部１３０ａは、識別部１４０ａにおいて紙幣を識別することができなかったり、偽造紙幣が識別されたりした場合、それを出金部１２０ａへ投出するようになっている。
【００４６】
一方、紙幣を出金するために、収納部１５０ａは、紙幣を一枚ずつ搬送部１３０ａへ繰り出すように構成されている。搬送部１３０ａは、繰り出された紙幣を出金部１２０ａへ搬送する。紙幣精算装置１２は、出金部シャッタ１２１ａを備えており、出金時に出金部シャッタ１２１ａを開け、紙幣を投出する。
【００４７】
このように、紙幣精算装置１２は、入金部１１０ａに投入された紙幣を収納部１５０ａへ収納し、逆に、収納部１５０ａに収納された紙幣を出金部１２０ａへ投出することができる。即ち、紙幣精算装置１２は、入金された紙幣を出金に再利用することができるように構成されている。
【００４８】
現金搬送カセット３０がカセット装着部１６０ａに装着されている場合、紙幣精算装置１２は、現金搬送カセット３０から収納部１５０ａへ紙幣を装填し、あるいは、収納部１５０ａから現金搬送カセット３０ａへ紙幣を回収することができる。紙幣を装填する場合、現金搬送カセット３０が紙幣を一枚ずつ搬送部１３０ａへ繰り出す。搬送部１３０ａは繰り出された紙幣を収納部１５０ａへ装填する。紙幣を回収する場合、収納部１５０ａが紙幣を一枚ずつ搬送部１３０ａへ繰り出す。搬送部１３０ａは繰り出された紙幣を現金搬送カセット３０へ回収する。
【００４９】
このように、紙幣精算装置１２は、現金搬送カセット３０を用いて紙幣の装填および回収を行うことができるように構成されている。
【００５０】
図５（Ａ）および図５（Ｂ）は、現金精算装置１１のうち硬貨精算装置１３の内部構成の一例を示す断面図である。図５（Ａ）は硬貨精算装置１３を側方から見た断面図であり、図５（Ｂ）は硬貨精算装置１３を正面から見た断面図である。尚、図５（Ｂ）では、現金搬送カセット３０および繰出部１３７ｂの図示を省略しており、収納部１５０ｂを図示している。
【００５１】
硬貨精算装置１３は、図５（Ｂ）に示すように入金部１１０ｂを備えており、店員（又は顧客）は入金時に硬貨を入金部１１０ｂへ投入する。このとき、複数の金種の硬貨は、混合された状態で投入されてよい。円盤型の繰出部１３３ｂは、入金部１１０ｂに投入された硬貨を一枚ずつ搬送部１３０ｂへ繰り出すように構成されている。搬送部１３０ｂは、繰り出された硬貨を識別部１４０ｂに通過させた後、収納部１５０ｂ、現金搬送カセット３０または出金部１２０ｂへ搬送する。識別部１４０ｂは、搬送されている硬貨の金種、真偽、正損、新旧、数量等を識別する。搬送部１３０ｂは、識別部１４０ｂによる識別結果に基づいて硬貨を金種ごとに選別し、硬貨を対応する金種の収納部１５０ｂに収納する。
【００５２】
尚、搬送部１３０ｂは、収納部１５０ｂがフルの場合等、必要に応じて、硬貨を現金搬送カセット３０または回収ボックス１３５ｂに搬送してよい。また、搬送部１３０ｂは、識別部１４０ｂにおいて硬貨がリジェクト硬貨であると識別された場合、そのリジェクト硬貨を出金部１２０ｂへ投出する。
【００５３】
一方、硬貨を出金するために、収納部１５０ｂは、硬貨を一枚ずつ搬送部１３１ｂへ繰り出すように構成されている。複数の収納部１５０ｂは、金種別に貨幣を収納しており、それぞれ円盤型の繰出部１５３ｂを備えている。繰出部１５３ｂは、硬貨を一枚ずつ搬送部１３０ｂへ繰り出すように構成されている。搬送部１３０ｂは、繰り出された硬貨を出金部１２０ｂへ搬送する。これにより、硬貨精算装置１３は、硬貨を出金部１２０ｂへ投出する。
【００５４】
このように、硬貨精算装置１３は、入金部１１０ｂに投入された硬貨を収納部１５０ｂへ収納し、逆に、収納部１５０ｂに収納された硬貨を出金部１２０ｂへ投出することができる。即ち、硬貨精算装置１３は、入金された硬貨を出金に再利用することができるように構成されている。
【００５５】
現金搬送カセット３０がカセット装着部１６０ｂに装着されている場合、硬貨精算装置１３は、現金搬送カセット３０から収納部１５０ｂへ硬貨を装填し、あるいは、収納部１５０ｂから現金搬送カセット３０ｂへ硬貨を回収することができる。硬貨を装填する場合、現金搬送カセット３０は、図５（Ａ）に示す繰出部１３７ｂに硬貨を投出する。このとき、現金搬送カセット３０は、金種の混合された状態で硬貨を繰出部１３７ｂに投出してよい。繰出部１３７ｂは硬貨を搬送部１３１ｂに繰り出す。搬送部１３１ｂは繰り出された硬貨を繰出部１３３ｂへ搬送し、繰出部１３３ｂは、硬貨を一枚ずつ搬送部１３０ｂへ繰り出す。搬送部１３０ｂは、繰り出された硬貨を識別部１４０ｂに通過させた後、収納部１５０ｂまたは出金部１２０ｂへ搬送するように構成されている。識別部１４０ｂは、搬送されている硬貨の金種を識別する。搬送部１３０ｂは、識別部１４０ｂによる識別結果に基づいて硬貨を金種ごとに収納部１５０ｂに収納する。
【００５６】
硬貨を回収する場合、硬貨精算装置１３は、収納部１５０ｂから硬貨を一枚ずつ搬送部１３１ｂへ繰り出す。搬送部１３１ｂは繰り出された硬貨を現金搬送カセット３０へ回収する。
【００５７】
このように、硬貨精算装置１３は、現金搬送カセット３０を用いて硬貨の装填および回収を行うことができるように構成されている。
【００５８】
次に、レジスタ４０の構成について、図６及び図７を用いて説明する。図６はレジスタ４０の外観を示し、図７はレジスタ４０のブロック構成を示す。図６及び図７に示すように、レジスタ４０は、各種情報を表示する表示部４０２と、店員から各種情報や指示についての手入力を受け付けるキーボード４０４と、取引内容を印字したレシートを出力するプリンタ４０６と、商品情報を読み取る読取部４０８と、現金精算装置１１やＰＯＳ管理装置２６と通信を行う通信部４１０と、制御部４１２と、メモリ４１４とを備えている。
【００５９】
キーボード４０４は、顧客からの預かり金の少なくとも一部に対応する情報の手入力を受けつけることができる。ここで、手入力される情報は、例えば、現金精算装置１１に入金できなかったリジェクト貨幣の金種別枚数である。
【００６０】
読取部４０８は、例えば、顧客の購入商品に付されたバーコードを読み取るバーコードスキャナである。読取部４０８がバーコードを読み取ることで、レジスタ４０は顧客の購入商品の商品情報を取得して登録することができる。
【００６１】
図６に示すように、レジスタ４０は、顧客に向けた表示部（カスタマーディスプレイ）４０２ａを備えていてもよい。また、表示部４０２をタッチパネルにしてもよく、その場合、表示部４０２は、現金精算装置１１に入金できないリジェクト貨幣についての情報の手入力を受けつけることができる。
【００６２】
メモリ４１４は、現金精算装置１１を制御する各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。また、メモリ４１４は、商品情報とその金額との組合せを有するテーブルを格納している。
【００６３】
制御部４１２は、メモリ４１４内のプログラムを実行してレジスタ４０の全体を制御するように構成された演算処理装置である。制御部４１２は、読取部４０８が読み取った商品情報を用いて、メモリ４１４内のテーブルを検索することで、商品の金額を求め、顧客が購入する商品の合計金額を算出することができる。
【００６４】
また、制御部４１２は、購入商品の合計金額と、キーボード４０４が受け付けた手入力情報とを、通信部４１０を介して現金精算装置１１へ送信することができる。また、制御部４１２は、通信部４１０を介して、顧客が購入する商品の商品情報をＰＯＳ管理装置２６へ送信することができる。
【００６５】
次に、このような現金精算装置１１及びレジスタ４０を有する精算システム２を用いた精算方法について説明する。
【００６６】
まず、顧客の支払い貨幣中にリジェクト貨幣が含まれていない場合について、図８に示すタイミングチャートを用いて説明する。
【００６７】
（ステップＳ１０１）顧客が購入する商品の商品情報がレジスタ４０に登録され、購入金額が算出される。
【００６８】
（ステップＳ１０２）レジスタ４０が現金精算装置１１に対して購入金額を送信する。
【００６９】
（ステップＳ１０３）顧客の支払い貨幣が現金精算装置１１に投入される。貨幣の投入は店員が行ってもよいし、顧客自ら行ってもよい。現金精算装置１１は、投入された貨幣の識別・計数を含む入金処理を行う。
【００７０】
（ステップＳ１０４）現金精算装置１１が、投入金額を算出する。
【００７１】
（ステップＳ１０５）現金精算装置１１が、ステップＳ１０４で算出した投入金額を顧客からの預かり金の総額とし、この預かり金の総額及びステップＳ１０２でレジスタ４０から受信した購入金額に基づいて釣銭額を算出する。
【００７２】
（ステップＳ１０６）現金精算装置１１が、ステップＳ１０５で算出した釣銭額に基づいて釣銭貨幣を出金する。具体的には、紙幣精算装置１２が、出金部１２０ａから釣銭紙幣を投出し、硬貨精算装置１３が、出金部１２０ｂから釣銭硬貨を投出する。
【００７３】
釣銭貨幣は店員が顧客に手渡してもよいし、投出された釣銭貨幣を顧客自ら受け取ってもよい。
【００７４】
（ステップＳ１０７）現金精算装置１１が、釣銭貨幣の出金完了をレジスタ４０に通知する。
【００７５】
（ステップＳ１０８）レジスタ４０のプリンタ４０６が、顧客の購入商品の商品情報、購入金額、顧客の支払い額、釣銭額等を含む取引内容を印字したレシートを出力する。店員は、出力されたレシートを顧客に手渡す。
【００７６】
次に、顧客の支払い貨幣中にリジェクト貨幣が含まれている場合について、図９に示すタイミングチャートを用いて説明する。
【００７７】
（ステップＳ２０１）顧客が購入する商品の商品情報がレジスタ４０に登録され、購入金額が算出される。
【００７８】
（ステップＳ２０２）レジスタ４０が現金精算装置１１に対して購入金額を送信する。
【００７９】
（ステップＳ２０３）顧客の支払い貨幣が現金精算装置１１に投入される。貨幣の投入は店員が行ってもよいし、顧客自ら行ってもよい。現金精算装置１１は、投入された貨幣の識別・計数を含む入金処理を行う。
【００８０】
（ステップＳ２０４）現金精算装置１１が、リジェクト貨幣を返却する。具体的には、紙幣精算装置１２が、出金部１２０ａからリジェクト紙幣を投出し、硬貨精算装置１３が、出金部１２０ｂからリジェクト硬貨を投出する。
【００８１】
（ステップＳ２０５）現金精算装置１１が、リジェクト貨幣を除いた貨幣についての投入金額を算出する。
【００８２】
（ステップＳ２０６）店員がリジェクト貨幣を目視確認し、リジェクト貨幣についての情報（例えば金種別枚数や金額）をキーボード４０４から手入力する。リジェクト貨幣は図示しないドロア等に収納される。
【００８３】
（ステップＳ２０７）レジスタ４０が、ステップＳ２０６で手入力された情報（手入力情報）を現金精算装置１１へ送信する。
【００８４】
（ステップＳ２０８）現金精算装置１１が、ステップＳ２０５で算出した投入金額と、ステップＳ２０７でレジスタ４０から受信した手入力情報とを用いて、顧客からの預かり金の総額を算出する。
【００８５】
（ステップＳ２０９）現金精算装置１１が、ステップＳ２０８で算出した預かり金の総額及びステップＳ２０２でレジスタ４０から受信した購入金額に基づいて釣銭額を算出する。
【００８６】
（ステップＳ２１０）現金精算装置１１が、ステップＳ２０９で算出した釣銭額に基づいて釣銭貨幣を出金する。具体的には、紙幣精算装置１２が、出金部１２０ａから釣銭紙幣を投出し、硬貨精算装置１３が、出金部１２０ｂから釣銭硬貨を投出する。
【００８７】
釣銭貨幣は店員が顧客に手渡してもよいし、投出された釣銭貨幣を顧客自ら受け取ってもよい。
【００８８】
（ステップＳ２１１）現金精算装置１１が、釣銭貨幣の出金完了をレジスタ４０に通知する。
【００８９】
（ステップＳ２１２）レジスタ４０のプリンタ４０６が、顧客の購入商品の商品情報、購入金額、顧客の支払い額、釣銭額等を含む取引内容を印字したレシートを出力する。店員は、出力されたレシートを顧客に手渡す。
【００９０】
このように、本実施形態に係る精算システム２によれば、顧客の支払い貨幣にリジェクト貨幣が含まれていても、レジスタ４０における売上金額を変更する必要がないため、上位機（ＰＯＳ管理装置２６）で管理している売上金額と、店舗内にある現金の金額とを一致させることができる。
【００９１】
また、精算システム２では、現金精算装置１１が釣銭額の算出を行う。レジスタ４０は、購入商品の合計金額を算出する機能と、この合計金額、及び店員から手入力されたリジェクト貨幣等についての情報を現金精算装置１１へ送信する機能を有していればよく、現金精算装置１１から投入金額を受信する機能、釣銭額を算出する機能、現金精算装置１１へ釣銭出金指示を出力する機能などを有する必要は無い。そのため、レジスタ４０を低コストに構成することができ、精算システム２を店舗に容易に導入することができる。
【００９２】
レジスタ４０は、クレジットカード等を用いてカード決済処理を行う決済処理部を備えていても良い。例えば、カード決済処理部は、図１０に示すようなカード情報を読み取るカード読取部４２０及び暗証番号等の入力を受け付ける入力部４２１と、カード会社等と通信を行い、カードの使用可否について判定を行う判定部（図示せず）とを有している。このようなカード決済処理部を設けることで、レジスタ４０は、顧客の購入金額についてカード決済を行うことができる。
【００９３】
レジスタ４０に、現金精算装置１１から、投入金額についての情報を受信する機能をさらに設け、投入金額が購入金額より少ない場合に、差額をカード決済できるようにしてもよい。
【００９４】
上記実施形態では、リジェクト貨幣をドロア等に収納していたが、現金精算装置１１に収納できるようにしてもよい。この場合、現金精算装置１１は、投入された貨幣を識別して収納部１５０に収納する自動入金モードと、投入された貨幣を識別せずに受け付けて収納部１５０に収納するマニュアル入金モードとを切り替えて設定できるようになっていることが好ましい。
【００９５】
また、現金精算装置１１には複数の収納部１５０が設けられているので、自動入金モード設定時に識別部１４０で識別された貨幣を収納する収納部１５０と、マニュアル入金モード設定時に投入された貨幣を収納する収納部１５０と、が異なるようにしてもよい。このように、入金モードに応じて使用する収納部１５０を変えることで、正常な貨幣と、リジェクト貨幣とを区別して収納することができる。また、正常な貨幣のみを、出金用の貨幣として再利用することができる。
【００９６】
また、現金精算装置１１は、マニュアル入金モード設定時に投入された貨幣の枚数をカウントし、カウント値と、レジスタ４０から受信した手入力情報に基づくリジェクト貨幣の枚数とを照合してもよい。
【００９７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９８】
１  現金管理システム
２  精算システム
１０  チェックアウトカウンター
１１  現金精算装置
１２  紙幣精算装置
１３  硬貨精算装置
２０  バックオフィス
２１  現金出納装置
２５  現金管理装置
２６  ＰＯＳ管理装置
３０  現金搬送カセット
４０  レジスタ
【図１】
2012203446.tif 000003
【図２】
2012203446.tif 000004
【図３】
2012203446.tif 000005
【図４】
2012203446.tif 000006
【図５】
2012203446.tif 000007
【図６】
2012203446.tif 000008
【図７】
2012203446.tif 000009
【図８】
2012203446.tif 000010
【図９】
2012203446.tif 000011
【図１０】
2012203446.tif 000012